【手続補正書】
【提出日】平成18年4月11日(2006.4.11)
【手続補正１】
【補正対象書類名】明細書
【補正対象項目名】発明の名称
【補正方法】変更
【補正の内容】
【発明の名称】遠隔制御装置および遠隔制御用受信装置
【手続補正２】
【補正対象書類名】明細書
【補正対象項目名】特許請求の範囲
【補正方法】変更
【補正の内容】
【特許請求の範囲】
【請求項１】  （ａ）１つの送信機で複数種類の動作を制御するマルチファンクションシステムの遠隔制御装置において、
（ｂ）操作スイッチを有し、送信機固有の送信機識別コードと、操作された操作スイッチに対応したまたは操作スイッチの操作態様に対応した制御コードとを含む送信コードを送信する送信機と、
（ｃ）送信コードを受信する受信装置であって、
制御コードに対応する動作情報をプログラムするプログラムモードと、動作情報が表す動作を実行する動作モードとを切換えて達成し、
プログラムモードでは、操作者が機能選択コード入力手段によって入力した機能選択コードを、受信した送信機識別コードに対応してメモリにストアし、
動作モードでは、受信した送信機識別コードが、メモリに予めストアした送信機識別コードと一致したとき、受信した送信機識別コードに対応してメモリにストアされている機能選択コードと、受信した制御コードとに基づき、動作情報を参照して実行すべき動作を決定して制御する受信装置とを含むことを特徴とする遠隔制御装置。
【請求項２】  （ａ）携帯可能な送信機であって、
操作スイッチと、
送信機固有の送信機識別コードと、制御コードとを含む送信コードを送信する送信回路と、
操作スイッチの出力に応答し、操作スイッチに対応したまたは操作スイッチの操作態様に対応した制御コードを送信回路に与えて送信させる送信制御手段とを有する送信機と、
（ｂ）受信手段であって、
（ｂ１）送信コードを受信する受信回路と、
（ｂ２）第１メモリ手段であって、
送信機識別コードと、
送信機識別コードに対応する機能選択コードとをストアし、
送信機識別コードに対応する機能選択コードを書換え可能である第１メモリ手段と、
（ｂ３）第２メモリ手段であって、
各機能選択コード毎に、前記各制御コードと、遠隔制御されるべき動作情報とが対応して設定されてストアされ、
制御コードに対応する前記動作情報が、各機能選択コード毎に異なる第２メモリ手段と、
（ｂ４）機能選択コードを入力する機能選択コード入力手段と、
（ｂ５）プログラムコードと動作モードとを切換えて設定するモード設定手段と、
（ｂ６）受信制御手段であって、
モード設定手段の出力に応答し、プログラムモードでは、第１メモリ手段に、機能選択コード入力手段によって入力された機能選択コードを、受信した送信機識別コードに対応して、設定し、
動作モードでは、
受信回路の出力に応答し、
受信された送信コードに含まれる送信機識別コードが、第１メモリ手段にストアされている送信機識別コードと一致するとき、
その一致した送信機識別コードに対応する機能選択コードを読出し、
第２メモリ手段から、前記読出した機能選択コードの受信された制御コードに対応する動作情報を読出し、
この読出した動作情報によって動作を実行する受信制御手段とを備える受信装置とを含むことを特徴とする遠隔制御装置。
【請求項３】  （ａ）１つの送信機で複数種類の動作を制御するマルチファンクションシステムの遠隔制御装置において、
（ｂ）操作スイッチを有し、操作スイッチの操作時間にわたって、送信コードを、繰返して連続的に送信し、この送信コードは、送信機固有の送信機識別コードと、操作された操作スイッチに対応した制御コードとを含む送信機と、
（ｃ）送信コードを受信する受信装置であって、
制御コードに対応する動作情報をプログラムするプログラムモードと、動作情報が表す動作を実行する動作モードとを切換えて達成し、
プログラムモードでは、操作者が機能選択コード入力手段によって入力した機能選択コードを、受信した送信機識別コードに対応してメモリにストアし、
動作モードでは、受信した送信機識別コードが、メモリに予めストアした送信機識別コードと一致したとき、受信した送信機識別コードに対応してメモリにストアされている機能選択コードと、受信した制御コードと、送信コードの継続時間とに基づき、動作情報を参照して実行すべき動作を決定して制御する受信装置とを含むことを特徴とする遠隔制御装置。
【請求項４】  （ａ）携帯可能な送信機であって、
複数の操作スイッチと、
送信機固有の送信機識別コードと、制御コードとを含む送信コードを送信する送信回路と、
操作スイッチの出力に応答し、操作スイッチに対応した制御コードを送信回路に与えて、操作スイッチの操作時間にわたって、送信コードを、繰返して連続的に送信させる送信制御手段とを有する送信機と、
（ｂ）受信装置であって、
（ｂ１）送信コードを受信する受信回路と、
（ｂ２）第１メモリ手段であって、
送信機識別コードと、
送信機識別コードに対応する機能選択コードとをストアし、
送信機識別コードに対応する機能選択コードを書換え可能である第１メモリ手段と、
（ｂ３）第２メモリ手段であって、
各機能選択コード毎に、前記各制御コードと、送信コードの継続時間と、遠隔制御されるべき動作情報とが対応して設定されてストアされ、
制御コードに対応する前記動作情報が、各機能選択コード毎に異なる第２メモリ手段と、
（ｂ４）機能選択コードを入力する機能選択コード入力手段と、
（ｂ５）プログラムコードと動作モードとを切換えて設定するモード設定手段と、
（ｂ６）受信された連続的な送信コードの継続時間と予め定める時間Ｔ９１，Ｔ９２，Ｔ１０１とを比較する比較手段と、
（ｂ７）受信制御手段であって、
モード設定手段の出力に応答し、プログラムモードでは、第１メモリ手段に、機能選択コード入力手段によって入力された機能選択コードを、受信した送信機識別コードに対応して、設定し、
動作モードでは、
受信回路の出力に応答し、
受信された送信コードに含まれる送信機識別コードが、第１メモリ手段にストアされている送信機識別コードと一致するとき、
その一致した送信機識別コードに対応する機能選択コードを読出し、
第２メモリ手段から、前記読出した機能選択コードの受信された制御コードと、比較手段の出力とに対応する動作情報を読出し、
この読出した動作情報によって動作を実行する受信制御手段とを備える受信装置とを含むことを特徴とする遠隔制御装置。
【請求項５】  （ａ）１つの送信機で複数種類の動作を制御するマルチファンクションシステムの遠隔制御装置において、
（ｂ）操作スイッチを有し、送信機固有の送信機識別コードと、操作された操作スイッチに対応した制御コードとを含む送信コードを操作スイッチの操作のたびに送信する送信機と、
（ｃ）送信コードを受信する受信装置であって、
制御コードに対応する動作情報をプログラムするプログラムモードと、動作情報が表す動作を実行する動作モードとを切換えて達成し、
プログラムモードでは、操作者が機能選択コード入力手段によって入力した機能選択コードを、受信した送信機識別コードに対応してメモリにストアし、
動作モードでは、受信した送信機識別コードが、メモリに予めストアした送信機識別コードと一致したとき、受信した送信機識別コードに対応してメモリにストアされている機能選択コードと、受信した制御コードと、送信コードの予め定める時間Ｔ１１１，Ｔ１１２，Ｔ１２１，Ｔ１３１，Ｔ１３２内の受信回数とに基づき、動作情報を参照して実行すべき動作を決定して制御する受信装置とを含むことを特徴とする遠隔制御装置。
【請求項６】  （ａ）携帯可能な送信機であって、
操作スイッチと、
送信機固有の送信機識別コードと、制御コードとを含む送信コードを送信する送信回路と、
操作スイッチの出力に応答し、操作スイッチに対応した制御コードを送信回路に与えて操作スイッチの操作のたびに送信させる送信制御手段とを有する送信機と、
（ｂ）受信手段であって、
（ｂ１）送信コードを受信する受信回路と、
（ｂ２）第１メモリ手段であって、
送信機識別コードと、
送信機識別コードに対応する機能選択コードとをストアし、
送信機識別コードに対応する機能選択コードを書換え可能である第１メモリ手段と、
（ｂ３）第２メモリ手段であって、
各機能選択コード毎に、前記各制御コードと、送信コードの受信回数と、遠隔制御されるべき動作情報とが対応して設定されてストアされ、
制御コードに対応する前記動作情報が、各機能選択コード毎に異なる第２メモリ手段と、
（ｂ４）機能選択コードを入力する機能選択コード入力手段と、
（ｂ５）プログラムコードと動作モードとを切換えて設定するモード設定手段と、
（ｂ６）受信された送信コードの予め定める時間Ｔ１１１，Ｔ１１２，Ｔ１２１，Ｔ１３１，Ｔ１３２内の受信回数を計数する計数手段と、
（ｂ７）受信制御手段であって、
モード設定手段の出力に応答し、プログラムモードでは、第１メモリ手段に、機能選択コード入力手段によって入力された機能選択コードを、受信した送信機識別コードに対応して、設定し、
動作モードでは、
受信回路の出力に応答し、
受信された送信コードに含まれる送信機識別コードが、第１メモリ手段にストアされている送信機識別コードと一致するとき、
その一致した送信機識別コードに対応する機能選択コードを読出し、
第２メモリ手段から、前記読出した機能選択コードの受信された制御コードと、計数手段の計数出力とに対応する動作情報を読出し、
この読出した動作情報によって動作を実行する受信制御手段とを備える受信装置とを含むことを特徴とする遠隔制御装置。
【請求項７】  （ａ）１つの送信機で複数種類の動作を制御するマルチファンクションシステムの遠隔制御装置において、
（ｂ）単一の操作スイッチを有し、操作スイッチの操作時間中にわたって、送信コードを繰返して連続的に送信し、この送信コードは、送信機固有の送信機識別コードを含む送信機と、
（ｃ）送信コードを受信する受信装置であって、
送信コードの継続時間に対応する動作情報をプログラムするプログラムモードと、動作情報が表す動作を実行する動作モードとを切換えて達成し、
プログラムモードでは、操作者が機能選択コード入力手段によって入力した機能選択コードを、受信した送信機識別コードに対応してメモリにストアし、
動作モードでは、受信した送信機識別コードが、メモリに予めストアした送信機識別コードと一致したとき、受信した送信機識別コードに対応してメモリにストアされている機能選択コードと、送信コードの継続時間とに基づき、動作情報を参照して実行すべき動作を決定して制御する受信装置とを含むことを特徴とする遠隔制御装置。
【請求項８】  （ａ）携帯可能な送信機であって、
単一の操作スイッチと、
送信機固有の送信機識別コードを含む送信コードを操作スイッチの操作時間にわたって、繰返して連続的に送信する送信回路と、
操作スイッチの出力に応答し、送信コードを送信回路に与えて、操作スイッチの操作時間中にわたって、繰返して連続的に送信させる送信制御手段とを有する送信機と、
（ｂ）受信装置であって、
（ｂ１）送信コードを受信する受信回路と、
（ｂ２）第１メモリ手段であって、
送信機識別コードと、
送信機識別コードに対応する機能選択コードとをストアし、
送信機識別コードに対応する機能選択コードを書換え可能である第１メモリ手段と、
（ｂ３）第２メモリ手段であって、
各機能選択コード毎に、送信コードの継続時間と、遠隔制御されるべき動作情報とが対応して設定されてストアされ、
制御コードに対応する前記動作情報が、各機能選択コード毎に異なる第２メモリ手段と、
（ｂ４）機能選択コードを入力する機能選択コード入力手段と、
（ｂ５）プログラムコードと動作モードとを切換えて設定するモード設定手段と、
（ｂ６）受信された連続的な送信コードの継続時間を計測する計測手段と、
（ｂ７）受信制御手段であって、
モード設定手段の出力に応答し、プログラムモードでは、第１メモリ手段に、機能選択コード入力手段によって入力された機能選択コードを、受信した送信機識別コードに対応して、設定し、
動作モードでは、
受信回路の出力に応答し、
受信された送信コードに含まれる送信機識別コードが、第１メモリ手段にストアされている送信機識別コードと一致するとき、
その一致した送信機識別コードに対応する機能選択コードを読出し、
第２メモリ手段から、前記読出した機能選択コードの計測手段の出力に対応する動作情報を読出し、
この読出した動作情報によって動作を実行する受信制御手段とを備える受信装置とを含むことを特徴とする遠隔制御装置。
【請求項９】  （ａ）１つの送信機で複数種類の動作を制御するマルチファンクションシステムの遠隔制御装置において、
（ｂ）単一の操作スイッチを有し、送信機固有の送信機識別コードを含む送信コードを操作スイッチの操作のたびに送信する送信機と、
（ｃ）送信コードを受信する受信装置であって、
送信コードの予め定める時間Ｔ１５１内の受信回数に対応する動作情報をプログラムするプログラムモードと、動作情報が表す動作を実行する動作モードとを切換えて達成し、
プログラムモードでは、操作者が機能選択コード入力手段によって入力した機能選択コードを、受信した送信機識別コードに対応してメモリにストアし、
動作モードでは、受信した送信機識別コードが、メモリに予めストアした送信機識別コードと一致したとき、受信した送信機識別コードに対応してメモリにストアされている機能選択コードと、前記受信回数とに基づき、動作情報を参照して実行すべき動作を決定して制御する受信装置とを含むことを特徴とする遠隔制御装置。
【請求項１０】  （ａ）携帯可能な送信機であって、
単一の操作スイッチと、
送信機固有の送信機識別コードを送信する送信回路と、
操作スイッチの出力に応答し、送信コードを送信回路に与えて操作スイッチの操作のたびに送信させる送信制御手段とを有する送信機と、
（ｂ）受信手段であって、
（ｂ１）送信コードを受信する受信回路と、
（ｂ２）第１メモリ手段であって、
送信機識別コードと、
送信機識別コードに対応する機能選択コードとをストアし、
送信機識別コードに対応する機能選択コードを書換え可能である第１メモリ手段と、
（ｂ３）第２メモリ手段であって、
各機能選択コード毎に、送信コードの受信回数と、遠隔制御されるべき動作情報とが対応して設定されてストアされ、
制御コードに対応する前記動作情報が、各機能選択コード毎に異なる第２メモリ手段と、
（ｂ４）機能選択コードを入力する機能選択コード入力手段と、
（ｂ５）プログラムモードと動作モードとを切換えて設定するモード設定手段と、
（ｂ６）受信された送信コードの予め定める時間Ｔ１５１内の受信回数を計数する計数手段と、
（ｂ７）受信制御手段であって、
モード設定手段の出力に応答し、プログラムモードでは、第１メモリ手段に、機能選択コード入力手段によって入力された機能選択コードを、受信した送信機識別コードに対応して、設定し、
動作モードでは、
受信回路の出力に応答し、
受信された送信コードに含まれる送信機識別コードが、第１メモリ手段にストアされている送信機識別コードと一致するとき、
その一致した送信機識別コードに対応する機能選択コードを読出し、
第２メモリ手段から、前記読出した機能選択コードの計数手段の計数出力に対応する動作情報を読出し、
この読出した動作情報によって動作を実行する受信制御手段とを備える受信装置とを含むことを特徴とする遠隔制御装置。
【請求項１１】  送信機固有の送信機識別コードと、送信機の操作された操作スイッチに対応したまたは操作スイッチの操作態様に対応した制御コードとを含む送信コードを受信する受信装置であって、
制御コードに対応する動作情報をプログラムするプログラムモードと、動作情報が表す動作を実行する動作モードとを切換えて達成し、
プログラムモードでは、操作者が機能選択コード入力手段によって入力した機能選択コードを、受信した送信機識別コードに対応してメモリにストアし、
動作モードでは、受信した送信機識別コードが、メモリに予めストアした送信機識別コードと一致したとき、受信した送信機識別コードに対応してメモリにストアされている機能選択コードと、受信した制御コードとに基づき、動作情報を参照して実行すべき動作を決定して制御することを特徴とする遠隔制御用受信装置。
【請求項１２】  送信機固有の送信機識別コードと、送信機の操作された操作スイッチに対応した制御コードとを含み、操作スイッチの操作時間にわたって、繰返して連続的に送信される送信コードを受信する受信装置であって、
制御コードに対応する動作情報をプログラムするプログラムモードと、動作情報が表す動作を実行する動作モードとを切換えて達成し、
プログラムモードでは、操作者が機能選択コード入力手段によって入力した機能選択コードを、受信した送信機識別コードに対応してメモリにストアし、
動作モードでは、受信した送信機識別コードが、メモリに予めストアした送信機識別コードと一致したとき、受信した送信機識別コードに対応してメモリにストアされている機能選択コードと、受信した制御コードと、送信コードの継続時間とに基づき、動作情報を参照して実行すべき動作を決定して制御することを特徴とする遠隔制御用受信装置。
【請求項１３】  送信機固有の送信機識別コードと、送信機の操作された操作スイッチに対応した制御コードとを含み、操作スイッチの操作のたびに送信される送信コードを受信する受信装置であって、
制御コードに対応する動作情報をプログラムするプログラムモードと、動作情報が表す動作を実行する動作モードとを切換えて達成し、
プログラムモードでは、操作者が機能選択コード入力手段によって入力した機能選択コードを、受信した送信機識別コードに対応してメモリにストアし、
動作モードでは、受信した送信機識別コードが、メモリに予めストアした送信機識別コードと一致したとき、受信した送信機識別コードに対応してメモリにストアされている機能選択コードと、受信した制御コードと、送信コードの予め定める時間Ｔ１１１，Ｔ１１２，Ｔ１２１，Ｔ１３１，Ｔ１３２内の受信回数とに基づき、動作情報を参照して実行すべき動作を決定して制御することを特徴とする遠隔制御用受信装置。
【請求項１４】  送信機固有の送信機識別コードを含み、単一の操作スイッチの操作時間中にわたって、繰返して連続的に送信される送信コードを受信する受信装置であって、
送信コードの継続時間に対応する動作情報をプログラムするプログラムモードと、動作情報が表す動作を実行する動作モードとを切換えて達成し、
プログラムモードでは、操作者が機能選択コード入力手段によって入力した機能選択コードを、受信した送信機識別コードに対応してメモリにストアし、
動作モードでは、受信した送信機識別コードが、メモリに予めストアした送信機識別コードと一致したとき、受信した送信機識別コードに対応してメモリにストアされている機能選択コードと、送信コードの継続時間とに基づき、動作情報を参照して実行すべき動作を決定して制御することを特徴とする遠隔制御用受信装置。
【請求項１５】  送信機固有の送信機識別コードを含み、送信機の単一の操作スイッチの操作のたびに送信される送信コードを受信する受信装置であって、
送信コードの予め定める時間Ｔ１５１内の受信回数に対応する動作情報をプログラムするプログラムモードと、動作情報が表す動作を実行する動作モードとを切換えて達成し、
プログラムモードでは、操作者が機能選択コード入力手段によって入力した機能選択コードを、受信した送信機識別コードに対応してメモリにストアし、
動作モードでは、受信した送信機識別コードが、メモリに予めストアした送信機識別コードと一致したとき、受信した送信機識別コードに対応してメモリにストアされている機能選択コードと、前記受信回数とに基づき、動作情報を参照して実行すべき動作を決定して制御することを特徴とする遠隔制御用受信装置。
【手続補正３】
【補正対象書類名】明細書
【補正対象項目名】０００１
【補正方法】変更
【補正の内容】
【０００１】
【発明の属する技術分野】
本発明は、送信機からの電磁波の送信コード信号を、受信装置で受信し、被制御手段の動作を制御する遠隔制御装置および遠隔制御用受信装置に関し、たとえば自動車などの車両のドアの施錠／解錠のために、トランクの蓋の解錠のためにおよび車両の盗難防止用警報音の発生などのために、１または複数の被制御手段の複数種類の動作を制御するマルチファンクションシステムに関する。
【手続補正４】
【補正対象書類名】明細書
【補正対象項目名】０００５
【補正方法】変更
【補正の内容】
【０００５】
【発明が解決しようとする課題】
本発明の目的は、ユーザが送信機の単一または複数の各操作スイッチ毎に、被制御手段の複数種類の動作を任意に割当てることができるようにした遠隔制御装置および遠隔制御用受信装置を提供することである。
【手続補正５】
【補正対象書類名】明細書
【補正対象項目名】０００６
【補正方法】変更
【補正の内容】
【０００６】
本発明の他の目的は、ユーザが送信機の単一の操作スイッチの複数の操作態様毎に、たとえば押圧操作時間または予め定める時間内における単一または複数の操作回数などの各操作態様毎に、被制御手段の複数種類の動作を任意に割当てることができるようにした遠隔制御装置および遠隔制御用受信装置を提供することである。
【手続補正６】
【補正対象書類名】明細書
【補正対象項目名】００３２
【補正方法】削除
【補正の内容】
【手続補正７】
【補正対象書類名】明細書
【補正対象項目名】００３３
【補正方法】削除
【補正の内容】
【手続補正８】
【補正対象書類名】明細書
【補正対象項目名】００３４
【補正方法】削除
【補正の内容】
【手続補正９】
【補正対象書類名】明細書
【補正対象項目名】００３５
【補正方法】削除
【補正の内容】
【手続補正１０】
【補正対象書類名】明細書
【補正対象項目名】００３６
【補正方法】削除
【補正の内容】
【手続補正１１】
【補正対象書類名】明細書
【補正対象項目名】００３７
【補正方法】削除
【補正の内容】
【手続補正１２】
【補正対象書類名】明細書
【補正対象項目名】００３８
【補正方法】削除
【補正の内容】
【手続補正１３】
【補正対象書類名】明細書
【補正対象項目名】００３９
【補正方法】削除
【補正の内容】
【手続補正１４】
【補正対象書類名】明細書
【補正対象項目名】００４０
【補正方法】削除
【補正の内容】
【手続補正１５】
【補正対象書類名】明細書
【補正対象項目名】００４１
【補正方法】削除
【補正の内容】
【手続補正１６】
【補正対象書類名】明細書
【補正対象項目名】００４２
【補正方法】削除
【補正の内容】
【手続補正１７】
【補正対象書類名】明細書
【補正対象項目名】００４３
【補正方法】削除
【補正の内容】
【手続補正１８】
【補正対象書類名】明細書
【補正対象項目名】００５５
【補正方法】削除
【補正の内容】
【手続補正１９】
【補正対象書類名】明細書
【補正対象項目名】００５６
【補正方法】削除
【補正の内容】
【手続補正２０】
【補正対象書類名】明細書
【補正対象項目名】００５７
【補正方法】削除
【補正の内容】
【手続補正２１】
【補正対象書類名】明細書
【補正対象項目名】００５８
【補正方法】削除
【補正の内容】
【手続補正２２】
【補正対象書類名】明細書
【補正対象項目名】００５９
【補正方法】削除
【補正の内容】
【手続補正２３】
【補正対象書類名】明細書
【補正対象項目名】００６０
【補正方法】削除
【補正の内容】
【手続補正２４】
【補正対象書類名】明細書
【補正対象項目名】００６１
【補正方法】削除
【補正の内容】
【手続補正２５】
【補正対象書類名】明細書
【補正対象項目名】０２４８
【補正方法】削除
【補正の内容】
【手続補正２６】
【補正対象書類名】明細書
【補正対象項目名】０２４９
【補正方法】変更
【補正の内容】
【０２４９】
請求項７，８の本発明によれば、送信機には単一の操作スイッチが備えられ、この操作スイッチの操作時間中にわたって送信コードが繰返して連続的に送信され、受信装置では、その送信機から送信される送信コードに含まれる送信機識別コードに対応する機能選択コードが書換え可能に設定されており、この機能選択コード毎に、継続時間、したがって比較手段の出力に対応する動作情報がメモリから読出されて被制御手段の制御動作が行われる。これによってユーザが送信機の単一の操作スイッチの複数の操作態様毎に、複数種類の動作を任意に割当てることができるようになる。さらに本発明によれば、送信機の構成を簡略化することができ、小形化を図ることができるようになる。これによって送信機の携帯がさらに容易になる。
【手続補正２７】
【補正対象書類名】明細書
【補正対象項目名】０２５１
【補正方法】変更
【補正の内容】
【０２５１】
請求項９，１０の本発明によれば、送信機には単一の操作スイッチが備えられ、予め定める時間内の操作回数に対応して受信装置で受信回数を計数し、送信機識別コードに対応する機能選択コードを書換え可能にメモリに設定し、この機能選択コード毎の計数した受信回数に対応する動作情報をメモリから読出して被制御手段を制御する。こうして単一の操作スイッチの複数種類の操作態様毎に複数種類の動作を任意に割当てることができるようになる。また本発明によれば送信機の構成を簡略化し、小形化が可能であり、したがって送信機の携帯が容易になる。
【手続補正２８】
【補正対象書類名】明細書
【補正対象項目名】０２５３
【補正方法】削除
【補正の内容】
【手続補正２９】
【補正対象書類名】明細書
【補正対象項目名】０２５４
【補正方法】削除
【補正の内容】
【手続補正３０】
【補正対象書類名】明細書
【補正対象項目名】０２５５
【補正方法】削除
【補正の内容】
【手続補正３１】
【補正対象書類名】明細書
【補正対象項目名】０２５６
【補正方法】削除
【補正の内容】
【手続補正３２】
【補正対象書類名】明細書
【補正対象項目名】０２５７
【補正方法】変更
【補正の内容】
【０２５７】
請求項１１〜１５の本発明の遠隔制御用受信装置を用いることによって、そのプログラムモードで、受信した送信機識別コードに対応する機能選択コードを書換え可能にメモリにストアしておき、動作モードで、送信機識別コードを読出し、制御コード、送信コードの継続時間、予め定める時間内の受信回数などによって被制御手段の動作を制御し、その操作スイッチに対応して、またはその操作スイッチの操作態様に対応して、動作情報を任意に割当てることができるようになる。